(57)【要約】【課題】小型軽量で、出力電圧の周波数、波形等を容易に変化させることのできる電位治療器を提供する。【解決手段】入力電圧Ｖ１よりも高電圧の電位を発生させる電位発生手段と、治療対象に接触させて前記電位を与える電極４ａ、４ｂと、を有し、前記電位発生手段はトランスＴ１とスイッチング素子Ｑ１を備え、スイッチング素子Ｑ１のスイッチング動作に伴い、トランスＴ１の入力側に前記入力電圧を断続的に印加し、それにより、トランスＴ１の出力側に誘起した電圧からプラス側パルス電圧Ｐ＋を発生させる構成を有する第１のパルス発生手段２ａと、トランスＴ２とスイッチング素子Ｑ２を備え、スイッチング素子Ｑ２のスイッチング動作に伴い、トランスＴ２の入力側に前記入力電圧を断続的に印加し、それにより、トランスＴ２の出力側に誘起した電圧からマイナス側パルス電圧Ｐ−を発生させる構成を有する第２のパルス発生手段２ｂと、からなる電位治療器。【選択図】図１
2011024859.tif 000002
【特許請求の範囲】
【請求項１】
直流の入力電圧よりも高電圧の電位を発生させる電位発生手段と、治療対象に接触させて前記電位を与える電極と、を有する電位治療器において、
前記電位発生手段は第１のトランスと第１のスイッチング素子を有する第１のパルス発生手段と、第２のトランスと第２のスイッチング素子を有する第２のパルス発生手段と、からなり、
前記第１のパルス発生手段は、前記第１のスイッチング素子のスイッチング動作に伴い、前記第１のトランスの入力側に前記入力電圧を断続的に印加し、それにより、前記第１のトランスの出力側に誘起した電圧からプラス側パルス電圧を発生させる構成を有し、
前記第２のパルス発生手段は、前記第２のスイッチング素子のスイッチング動作に伴い、前記第２のトランスの入力側に前記入力電圧を断続的に印加し、それにより、前記第２のトランスの出力側に誘起した電圧からマイナス側パルス電圧を発生させる構成を有することを特徴とする電位治療器。
【請求項２】
前記第１および第２のパルス発生手段の出力を、それぞれ独立して可変制御することにより、前記プラス側パルス電圧と前記マイナス側パルス電圧の振幅やデューティや周期を、個別で任意に変化させることができるものであることを特徴とする請求項１に記載の電位治療器。
【請求項３】
前記第１および第２のパルス発生手段の一方のみを動作させることにより、前記プラス側パルス電圧あるいは前記マイナス側パルス電圧のみを発生させることができるものであることを特徴とする請求項２に記載の電位治療器。
【請求項４】
前記電極は第１のパルス発生手段に接続されるプラス側電極と、第２のパルス発生手段に接続されるマイナス側電極とに分離して設けられることを特徴とする請求項１〜３のいずれか一つに記載の電位治療器。
【発明の詳細な説明】
【技術分野】
【０００１】
本発明は、交流電源を入力源とし、人工的な電界を発生させる電位治療器に関する。
【背景技術】
【０００２】
家庭用の交流電源を入力源とし、トランスを用いて高電圧を発生させ、その高電圧を治療対象に印加することによって治療効果を発揮する電位治療器が、特許文献１に開示されている。
【先行技術文献】
【特許文献】
【０００３】
【特許文献１】２００７−１１１１９６号公報
【発明の概要】
【発明が解決しようとする課題】
【０００４】
既存の電位治療器は、例えば電圧がＡＣ１００Ｖで、周波数が５０Ｈｚ又は６０Ｈｚの家庭用の交流電源を入力源とし、高電圧発生用のトランスを用いて、直接的に希望の電圧（9000Vrms）へ昇圧している。そのため、トランスの入力側巻線と出力側巻線は絶縁を配慮した高巻数比のものとなり、また、低い周波数の電圧を扱う為に小型化できず、機器の小型化を妨げる大きな要素となっていた。また、単に家庭用の交流電源からの入力電圧を変圧用のトランスで昇圧するだけの構成であるため、周波数の変換や、出力波形のプラスとマイナスの電圧比率を変更することが難しく、単調な波形の出力電圧に対する治療対象の慣れ防止対策が課題となっていた。
【０００５】
本発明は、上記問題点を解決しようとするものであり、小型軽量で、出力電圧の周波数や波形等を容易に変化させることのできる電位治療器を提供することをその目的とする。
【課題を解決するための手段】
【０００６】
請求項１の発明は、直流の入力電圧よりも高電圧の電位を発生させる電位発生手段と、治療対象に接触させて前記電位を与える電極と、を有する電位治療器において、前記電位発生手段は第１のトランスと第１のスイッチング素子を有する第１のパルス発生手段と、第２のトランスと第２のスイッチング素子を有する第２のパルス発生手段と、からなり、前記第１のパルス発生手段は、前記第１のスイッチング素子のスイッチング動作に伴い、前記第１のトランスの入力側に前記入力電圧を断続的に印加し、それにより、前記第１のトランスの出力側に誘起した電圧からプラス側パルス電圧を発生させる構成を有し、前記第２のパルス発生手段は、前記第２のスイッチング素子のスイッチング動作に伴い、前記第２のトランスの入力側に前記入力電圧を断続的に印加し、それにより、前記第２のトランスの出力側に誘起した電圧からプラス側パルス電圧を発生させる構成を有する。
【０００７】
請求項２の発明は、前記第１および第２のパルス発生手段の出力を、それぞれ独立して可変制御することにより、前記プラス側パルス電圧と前記マイナス側パルス電圧の振幅やデューティや周期を、個別で任意に変化させることができるものである。
【０００８】
請求項３の発明は、前記第１および第２のパルス発生手段の一方のみを動作させることにより、前記プラス側パルス電圧あるいは前記マイナス側パルス電圧のみを発生させることができるものである。
【０００９】
請求項４の発明は、前記電極は第１のパルス発生手段に接続されるプラス側電極と、第２のパルス発生手段に接続されるマイナス側電極とに分離して設けられるものである。
【発明の効果】
【００１０】
請求項１の発明によれば、昇圧用のトランスには、スイッチング素子のスイッチング動作に伴い、入力電圧が断続的に印加される。
【００１１】
そのため、スイッチング素子のスイッチング周波数を高周波（数十ＫＨｚ以上）にすることにより、昇圧用のトランスに非常に小型なトランスを使用でき、電位治療器の大幅な小型軽量化が可能である。
【００１２】
請求項２の発明によれば、プラス側パルス電圧とマイナス側パルス電圧の振幅やデューティや周期を、それぞれ独立して任意に変化させることができる。
【００１３】
そのため、治療目的に応じて、出力電圧を最適な周波数・波形に簡単に変化させることができ、また、プラス側とマイナス側を個別に制御するので、プラス側とマイナス側の電圧比も任意に変更できる。
【００１４】
請求項３の発明によれば、２つのパルス発生手段の一方のみを動作させることにより、前記プラス側パルス電圧あるいは前記マイナス側パルス電圧のみを治療対象に与えることができる。
【００１５】
そのため、治療目的に応じて、プラスのみあるいはマイナスのみのパルス電圧を簡単に治療対象に与えることができる。
【００１６】
請求項４の発明によれば、治療対象に接触させる電極をプラス側パルス電圧が印加されるプラス側電極と、マイナス側パルス電圧が印加されるマイナス側電極とに分離して設けている。
【００１７】
そのため、一つの電極にプラスの電圧とマイナスの電圧を交互に印加する場合に必要な電圧切替回路が不要となり、プラスの電圧とマイナスの電圧の高速な切り替えが可能となる。
【図面の簡単な説明】
【００１８】
【図１】本発明の一実施例を示す電位治療器の概略図である。
【図２】本発明の一実施例を示す電位治療器のスイッチング素子のスイッチングパルスの波形と、出力のパルス電圧と擬似的に等価な波形の波形図である。
【発明を実施するための形態】
【００１９】
以下、本発明における電位治療器の実施例について、添付図を参照して詳細に説明する
【実施例１】
【００２０】
電位治療器の全体構成を図１に基づき説明すると、１は治療器内の電源装置（図示せず）で得られる安定した直流入力電圧ＶＣＣが入力端子１Ｉに入力され、これを安定化した状態の直流電圧Ｖ１に変換して出力端子１Ｏから出力する、電源手段としての可変電源装置である。２ａは、直流電圧Ｖ１から第１のパルス電圧Ｐ１を発生させる、パルス発生手段としての第１のスイッチング電源であり、２ｂは、直流電圧Ｖ１から第２のパルス電圧Ｐ２を発生させる、パルス発生手段としての第２のスイッチング電源である。スイッチング電源２ａは後述するスイッチング素子Ｑ１のスイッチング動作によってプラス側パルス電圧Ｐ１を、スイッチング電源２ｂは後述するスイッチング素子Ｑ２のスイッチング動作によってマイナス側パルス電圧Ｐ２を発生させるものである。３は、可変電源装置１の出力である直流電圧Ｖ１と、スイッチング電源２ａおよび２ｂの出力波形と、を制御するための制御手段としてのＣＰＵである。ＣＰＵ３は操作手段（図示せず）を通じて、その動作が操作される。また、４ａは前記プラス側パルス電圧Ｐ１を印加されるプラス側電極であり、また、４ｂは前記マイナス側パルス電圧Ｐ２を印加されるマイナス側電極である。
【００２１】
本実施例では、前記電源装置の入力源として、電圧がＡＣ１００Ｖで、周波数が５０Ｈｚ又は６０Ｈｚの家庭用交流源を電源装置で入力電圧ＶＣＣに変換し、可変電源装置１で使用している。可変電源装置１は、ＣＰＵ３の電圧コントロール端子３Ｃからの電圧コントロール信号ＣＳが制御入力端子１Ｃに入力されることにより制御され、入力電圧ＶＣＣを任意の電圧の直流電圧Ｖ１に変換する。なお、可変電源装置１は、電位治療器を携行することが可能にできるように、バッテリー等の直流電圧源を入力電圧に使用してもよい。
【００２２】
スイッチング電源２ａは、電圧を上昇させ一次側と二次側を絶縁するための昇圧トランスＴ１と、スイッチング素子Ｑ１と，整流素子Ｄ１と、平滑素子Ｃ１と、電源切断時に平滑素子Ｃ１の蓄積電荷を放電させるためのブリーダー抵抗Ｒ１と、を備え、スイッチング電源２ｂは昇圧トランスＴ２と、スイッチング素子Ｑ２と、整流素子Ｄ２と、平滑巻線素子Ｃ２と、ブリーダー抵抗Ｒ３と、を備える。昇圧トランスＴ１は一次側巻線と二次側が逆極性、昇圧トランスＴ２は一次側巻線と二次側が正極性のものを使用する。
【００２３】
なお、本実施例においては、簡単な構成で効率よく超高圧を発生させることができるフライバック方式で、スイッチング電源２ａ，２ｂを構成しているが、本願発明の回路構成を限定するものではない。例えば、スイッチング周波数を大きくすると、インダクタＬとキャパシタＣを小さくでき、回路が小型軽量になるとともに、安く作れるようになる昇圧チョッパ回路を使用しても良い。
【００２４】
昇圧トランスＴ１の入力側巻線の一側端子には前記直流電圧が供給され、入力側巻線の他側端子はスイッチング素子Ｑ１のドレイン端子に接続され、出力側巻線の一側端子は整流素子Ｄ１のアノードに、出力側巻線の他側端子はアースに接続される。スイッチング素子Ｑ１のソース端子は、アースに接続され、昇圧トランスＴ１の入力側巻線との直列回路を構成する。整流素子Ｄ１のカソードは、平滑素子Ｃ１とブリーダー抵抗Ｒ１からなる並列回路の一側と接続され、さらに、保護抵抗Ｒ２を通して電極４ａに接続される。平滑素子Ｃ１とブリーダー抵抗Ｒ１からなる並列回路の他側はアースに接続される。また、スイッチング素子Ｑ１のゲートにはＣＰＵ３のプラス側スイッチングパルス端子３＋から、プラス側スイッチングパルスが供給される。
【００２５】
昇圧トランスＴ２の入力側巻線の一側端子には前記直流電圧が供給され、入力側巻線の他側端子はスイッチング素子Ｑ２のドレイン端子に接続され、出力側巻線の一側端子は整流素子Ｄ２のカソードに、出力側巻線の他側端子はアースに接続される。スイッチング素子Ｑ２のソース端子は、アースに接続され、昇圧トランスＴ２の入力側巻線との直列回路を構成する。整流素子Ｄ２のアノードは、平滑素子Ｃ２とブリーダー抵抗Ｒ３からなる並列回路の一側と接続され、さらに、保護抵抗Ｒ４を通して電極４ｂに接続される。平滑素子Ｃ２とブリーダー抵抗Ｒ３からなる並列回路の他側はアースに接続される。また、スイッチング素子Ｑ２のゲートにはＣＰＵ３のマイナス側スイッチングパルス端子３−から、マイナス側スイッチングパルスが供給される。
【００２６】
ＣＰＵ３の電圧コントロール端子３Ｃから電圧コントロール信号ＣＳが可変電源装置１の制御入力端子１Ｃに供給され、プラス側スイッチングパルス端子３＋からプラス側スイッチングパルスＰ＋がスイッチング素子Ｑ１のゲート端子に、マイナス側スイッチングパルス端子３−からマイナス側スイッチングパルスＰ−がスイッチング素子Ｑ２のゲート端子にそれぞれ独立して供給される。
【００２７】
電極４ａ，４ｂは、前記治療対象に接触させる部位で、電極４ａにはプラス側パルス電圧Ｐ１が、電極４ｂにはマイナス側パルス電圧Ｐ２が印加される。
【００２８】
電極４ａ，４ｂは、前記治療対象が乗って使用するマット状タイプ、前記治療対象の治療部位に接触させて使用する棒状タイプ等、様々な形状とすることができる。
【００２９】
電極４ａ，４ｂは、前記両パルス電圧の利用法に応じて、絶縁処理が施されるか施されないかが決定される。そのため、必要に応じて絶縁体（図示せず）で電極４ａ，４ｂを覆うのが好ましい。
【００３０】
次に、上記構成の電位治療器の動作を説明する。
【００３１】
スイッチング電源２ａでは、スイッチング素子Ｑ１のスイッチング動作に伴い、昇圧トランスＴ１の入力側巻線に直流電圧Ｖ１を断続的に印加し、それにより、昇圧トランスＴ１の出力側巻線に誘起した電圧を発生させ、これを整流素子Ｄ１で整流して平滑素子Ｃ１に充電し、平滑素子Ｃ１の両端電圧をプラス側パルス電圧Ｐ１としてプラス側電極４ａに出力する。
【００３２】
スイッチング電源２ｂでも同様に、スイッチング素子Ｑ２のスイッチング動作に伴い、昇圧トランスＴ２の入力側巻線に直流電圧Ｖ１を断続的に印加し、それにより、昇圧トランスＴ２の出力側巻線に誘起した電圧を発生させ、これを整流素子Ｄ２で整流して平滑素子Ｃ２に充電し、平滑素子Ｃ２の両端電圧をマイナス側パルス電圧Ｐ２としてマイナス側電極４ｂに出力する。
【００３３】
ＣＰＵ３は電圧コントロール信号ＣＳにより、可変電源装置１の直流電圧Ｖ１のレベルを制御することで、前記パルス電圧Ｐ１，Ｐ２の振幅（電圧）を制御することができる。
【００３４】
電圧コントロール信号ＣＳは前述した操作手段により適宜変更可能である。
【００３５】
また、ＣＰＵ３はプラス側スイッチングパルスＰ＋により、スイッチング素子Ｑ１のスイッチング動作を制御することで、プラス側パルス電圧Ｐ１のデューティや周期を制御することができる。
【００３６】
さらに、ＣＰＵ３は前記マイナス側スイッチングパルスＰ−により、スイッチング素子Ｑ２のスイッチング動作を制御することで、マイナス側パルス電圧Ｐ２のデューティや周期を制御することができる。
【００３７】
これらのスイッチングパルスＰ＋，Ｐ−についても、前記操作手段により適宜変更可能である。
【００３８】
一例として、図２には、パルス電圧Ｐ１，Ｐ２の近似波形Ｐ１´，Ｐ２´が正弦波形とステップ波形と三角波形である場合の、スイッチングパルスＰ＋，Ｐ−の波形と近似波形Ｐ１´，Ｐ２´とが示されている。
【００３９】
なお、実際は近似波形Ｐ２´はマイナス側に波形が現れるが、図の簡略化のため、近似波形Ｐ１´と逆向き同波形の近似波形Ｐ２´は省略する。
【００４０】
図２の（Ａ）は、正弦波形の近似波形Ｐ１´，Ｐ２´と、それを発生させるための、スイッチングパルスＰ＋，Ｐ−の波形である。
【００４１】
スイッチングパルスＰ＋，Ｐ−が、一定周波数、一定振幅（電圧）で、デューティ（図中Ｔｏｎ／Ｔ）を正弦波形の半周期に相当する期間の開始から中間までの間は、０°＜θ＜９０°のサインカーブに近似した比率で増加させ、前記半周期の中間から終了までの間は、９０°＜θ＜１８０°のサインカーブに近似した比率で減少させたオンパルスからなり、このスイッチングパルスＰ＋，Ｐ−でスイッチング電源２ａ、２ｂを駆動すると、近似波形Ｐ１´は、正弦波形のプラスの半波長分となり、出力の近似波形Ｐ２´は、正弦波形のマイナスの半波長分となる。
【００４２】
上述のスイッチングパルスＰ＋を、休止期間を設けずに連続して繰り返し、スイッチング電源２ａのみを駆動すると正弦波を全波整流した波形の近似波形Ｐ１´と近似的に等価な波形のプラス側パルス電圧Ｐ１を治療対象に与えることができる。
【００４３】
また、上述のスイッチングパルスＰ−を、休止期間を設けずに連続して繰り返し、スイッチング電源２ｂのみを駆動すると正弦波を全波整流した波形と近似的に等価な波形のマイナス側パルス電圧Ｐ２を治療対象に与えることができる。
【００４４】
また、上述のスイッチングパルスＰ＋と、正弦波形の半周期に相当する休止期間と、を連続して繰り返しスイッチング電源２ａのみを駆動すると、図２の（Ａ）のような、正弦波を半波整流した波形の近似波形Ｐ１´と近似的に等価な波形のプラス側パルス電圧Ｐ１を治療対象に与えることができる。
【００４５】
また、上述のスイッチングパルスＰ−と、正弦波形の半周期に相当する休止期間と、を連続して繰り返しスイッチング電源２ｂのみを駆動すると、正弦波を半波整流した波形の近似波形Ｐ２´と近似的に等価な波形のマイナス側パルス電圧Ｐ２を治療対象に与えることができる。
【００４６】
さらに、上述のスイッチングパルスＰ＋と、正弦波形の半周期に相当する休止期間と、を連続して繰り返しスイッチング電源２ａを駆動し、スイッチングパルスＰ＋でスイッチング電源２ａを駆動する期間はスイッチング電源２ｂの駆動を休止し、スイッチング電源２ａの休止期間にスイッチングパルスＰ−でスイッチング電源２ｂを駆動するようにすると、近似波形Ｐ１´と近似波形Ｐ２´を合成した正弦波と近似的に等価な波形の、プラス側パルス電圧Ｐ１とマイナス側パルス電圧Ｐ２を合成したパルス電圧を治療対象に与えることができる。
【００４７】
図２の（Ｂ）は、ステップ波形の近似波形Ｐ１´，Ｐ２´と、それを発生させるための、スイッチングパルスＰ＋，Ｐ−の波形である。
【００４８】
スイッチングパルスＰ＋が、一定周波数、一定振幅（電圧）で、デューティ一定のオンパルスからなり、このスイッチングパルスＰ＋で一定期間に渡ってスイッチング電源２ａを駆動すると、近似波形Ｐ１´はスイッチングパルスＰ＋が一定周波数で出力される期間において、単発のプラスのステップ波形となる。
【００４９】
スイッチングパルスＰ−が、一定周波数、一定振幅（電圧）で、デューティ一定のオンパルスからなり、このスイッチングパルスＰ−で一定期間に渡ってスイッチング電源２ｂを駆動すると、近似波形Ｐ２´はスイッチングパルスＰ−が一定周波数で出力される期間において、単発のマイナスのステップ波形となる。
【００５０】
近似波形Ｐ１´，Ｐ２´の振幅（電圧）はスイッチングパルスのデューティを制御することにより決定する。ここでは、スイッチングパルスＰ＋，Ｐ−のデューティが増加するほど、近似波形Ｐ１´，Ｐ２´の振幅（電圧）を増加させることができる。
【００５１】
また、上述の正弦波形の説明と同様に、プラス側パルス電圧Ｐ１またはマイナス側パルス電圧Ｐ２のみを繰り返し治療対象に与えたり、プラス側パルス電圧Ｐ１とマイナス側パルス電圧Ｐ２を交互に繰り返し治療対象に与えたりすることもできる。
【００５２】
また、ステップ波形と近似的に等価な波形のプラス側パルス電圧Ｐ１またはマイナス側パルス電圧Ｐ２を、近似波形Ｐ１´またはＰ２´の振幅（電圧）が徐々に増加したり、徐々に減少したり、強弱を繰り返したりするように治療対象に与えたりすることもできる。
【００５３】
図２の（Ｃ）は、三角波形の近似波形Ｐ１´，Ｐ２´と、それを発生させるための、スイッチングパルスＰ＋，Ｐ−の波形である。
【００５４】
スイッチングパルスＰ＋が、一定周波数、一定振幅（電圧）で、デューティを０から線形的に増加させ、所定のパルス以降デューティを０まで線形的に減少させるオンパルスからなり、このスイッチングパルスＰ＋でスイッチング電源２ａを駆動すると、近似波形Ｐ１´は単発のプラスの三角波形となる。
【００５５】
スイッチングパルスＰ−が、一定周波数、一定振幅（電圧）で、デューティを０から線形的に増加させ、所定のパルス以降デューティを０まで線形的に減少させるオンパルスからなり、このスイッチングパルスＰ＋でスイッチング電源２ｂを駆動すると、近似波形Ｐ２´は単発のマイナスの三角波形となる。
【００５６】
スイッチングパルスＰ＋，Ｐ−が、一定周波数、一定振幅（電圧）で、デューティを所定の値から始めて、０まで線形的に減少させるオンパルスからなり、このスイッチングパルスＰ＋，Ｐ−でスイッチング電源２ａ，２ｂを駆動すると、近似波形Ｐ１´，Ｐ２´の波形は、単発の立ち上がりの急な三角波形となる。
【００５７】
スイッチングパルスＰ＋，Ｐ−が、一定周波数、一定振幅（電圧）で、デューティを０から線形的に所定の値まで増加させるオンパルスからなり、このスイッチングパルスＰ＋，Ｐ−でスイッチング電源２ａ，２ｂを駆動すると、近似波形Ｐ１´，Ｐ２´の波形は、単発の立ち下がりの急な三角波形となる。
【００５８】
ステップ波形の場合と同様に、三角波形の近似波形Ｐ１´，Ｐ２´の頂点の振幅（電圧）はスイッチングパルスのデューティを制御することにより決定する。ここでは、スイッチングパルスＰ＋，Ｐ−のデューティが増加するほど、近似波形Ｐ１´，Ｐ２´の頂点の振幅（電圧）を増加させることができる。
【００５９】
また、上述の正弦波形の説明と同様に、プラス側パルス電圧Ｐ１またはマイナス側パルス電圧Ｐ２のみを繰り返し治療対象に与えたり、プラス側パルス電圧Ｐ１とマイナス側パルス電圧Ｐ２を交互に繰り返し治療対象に与えたりすることもできる。
【００６０】
また、上述のステップ波形の説明と同様に、三角波形と近似的に等価な波形のプラス側パルス電圧Ｐ１またはマイナス側パルス電圧Ｐ２を、近似波形Ｐ１´またはＰ２´の頂点の振幅（電圧）が徐々に増加したり、徐々に減少したり、強弱を繰り返したりするように治療対象に与えたりすることもできる。
【００６１】
さらに、上述の正弦波形やステップ波形や三角波形やその他の波形を、様々に組み合わせたプラス側パルス電圧Ｐ１とマイナス側パルス電圧Ｐ２を治療対象に与えたりすることもできる。
【００６２】
また、治療対象の慣れによる効果の減少を防ぐために、スイッチングパルスにランダムな信号成分を加えて、パルス発生手段がパルス電圧にランダムな揺らぎを与えるように構成してもよい。
【００６３】
本実施例では、スイッチング素子Ｑ１とスイッチング素子Ｑ２のスイッチング動作をそれぞれ独立して制御するために、ＣＰＵ３からスイッチングパルスＰ＋をスイッチング素子Ｑ１に、スイッチングパルスＰ−をスイッチング素子Ｑ２にそれぞれ独立して供給することにより、スイッチング電源２ａ，２ｂをそれぞれ独立して制御することができる。
【００６４】
また、第１のパルス発生手段としてのスイッチング電源２ａは高周波のスイッチングパルスＰ＋で、第２のパルス発生手段としてのスイッチング電源２ｂは高周波のスイッチングパルスＰ−で駆動されることにより、スイッチング電源２ａを構成する昇圧トランスＴ１と、スイッチング電源２ｂを構成する昇圧トランスＴ２は、いずれも高周波用の小型のトランスを使用することができ、電位治療器を大幅に小型化することができる。
【００６５】
ＣＰＵ３からスイッチング電源２ａへのスイッチングパルスＰ＋と、スイッチング電源２ｂへのスイッチングパルスＰ−とを、それぞれ独立して可変制御することによって、プラス側パルス電圧Ｐ１とマイナス側パルス電圧Ｐ２の振幅やデューティや周期を、個別で任意に変化させることができ、治療目的に応じて、治療対象に与える電圧波形をフレキシブルに変化させることができる。さらに、プラス側とマイナス側の電圧比も任意に変更できる。
【００６６】
また、スイッチング電源２ａ，２ｂのいずれか一方のみを駆動させることで、治療目的に応じて、プラスの範囲でのみ変化する電圧波形、またはマイナスの範囲でのみ変化する電圧波形を治療対象に与えることができる。
【００６７】
また、スイッチング素子Ｑ１，Ｑ２のスイッチング周波数を数十ＫＨｚ程度にした場合、治療対象に与えるパルス電圧Ｐ１，Ｐ２の周波数は、０.１Ｈｚ〜８０Ｈｚの範囲で設定することも可能で、交流電源の周波数に依存して、４０Ｈｚ〜７０Ｈｚ程度の周波数の波形しか出力できない従来の電位治療器に比べ、治療効果の幅を拡げることができる。
【００６８】
プラス側パルス電圧Ｐ１が印加される電極４ａとマイナス側パルス電圧Ｐ２が印加される電極４ｂを分離して設けることにより、一つの電極にプラスの電圧とマイナスの電圧を交互に印加する場合に必要な電圧切替回路が不要となり、プラスの電圧とマイナスの電圧の高速な切り替えが可能となる。
【００６９】
電極４ａ，４ｂに印加された前記パルス電圧Ｐ１，Ｐ２の電位を治療対象に印加し、前記治療対象にごく微量の電流を流すか、あるいは、前記治療対象に前記パルス電圧による帯電によって生じる電界を作用させることによって、治療効果を得ることができる。
【００７０】
電極４ａ，４ｂには、前記治療対象に前記パルス電圧による帯電によって生じる電界を作用させる場合には絶縁処理が施され、前記治療対象にごく微量の電流を流す場合には絶縁処理は施されない。
【００７１】
本実施例では、マット状タイプで絶縁処理を施された電極４ａ，４ｂに、前記治療対象が乗り、前記プラス側パルス電圧と前記マイナス側パルス電圧を、交互に複数回ずつ周期的に発生させることにより、前記治療対象に方向が繰り返し反転する電界を作用させる場合を取り扱っている。
【００７２】
変形例として、電極４ａおよび４ｂで前記治療対象を挟み込むように、電極４ａ，４ｂを配置し、前記プラス側パルス電圧と前記マイナス側パルス電圧を同時に発生させることにより、前記治療対象に方向が一定の、より強い電界を発生させることもできる。ただし、その場合、電界の方向を繰り返し反転させることはできない。
【００７３】
以上、本発明を実施例に基づいて説明したが、本発明は上記実施例に限定されるものではなく、本発明の趣旨を逸脱しない範囲で種々の変更実施が可能である。
【符号の説明】
【００７４】
１  電源装置（電源手段）
２ａ  スイッチング電源（第１のパルス発生手段）
２ｂ  スイッチング電源（第２のパルス発生手段）
４ａ  電極（プラス側電極）
４ｂ  電極（マイナス側電極）
Ｔ１  昇圧トランス（第１のトランス）
Ｔ２  昇圧トランス（第２のトランス）
Ｑ１  スイッチング素子（第１のスイッチング素子）
Ｑ２  スイッチング素子（第２のスイッチング素子）
【図１】
2011024859.tif 000003
【図２】
2011024859.tif 000004